(57)【要約】【課題】宅配ボックス並びに郵便受けを多数配列したとき、表示ランプなどの数を減少させ、かつ宅配ボックス並びに郵便受けの機能を向上させる。【解決手段】電気錠で施錠可能な開閉扉１０ａを備えた宅配物を収納するための宅配ボックス１０と、電気錠で施錠可能な開閉扉２０ａを備えた郵便物を収納するための郵便受け２０とからなる物品収受ユニット１で構成される。鍵センサー５の検知結果に基づいて宅配ボックスの開閉扉の開錠が行われ、鍵センサー６の検知結果に基づいて郵便受けの開閉扉の開錠が行われる。鍵センサー６の検知結果に基づいて郵便受けの開錠を行うとき、該郵便受けの居住者宛てに宅配物が配達され、宅配ボックスの荷物センサーが該宅配物の収納を検知している場合には、その宅配ボックスの開閉扉を開錠させる。【選択図】図２
2010115266.tif 000002
【特許請求の範囲】
【請求項１】
宅配物及び郵便受けの収受に用いられる物品収受装置であって、
電気錠で施錠可能な開閉扉を備えた宅配物を収納するための一つあるいは複数の宅配ボックスと、電気錠で施錠可能な開閉扉を備えた郵便物を収納するための複数の郵便受けとからなる物品収受ユニットと、
第１の鍵センサーと第２の鍵センサーを設けたセンサー部と、
第１の鍵センサーの検知結果に基づいて宅配ボックスの開閉扉の開錠を行い、第２の鍵センサーの検知結果に基づいて郵便受けの開閉扉の開錠を行う制御部と、
いずれか一つの郵便受けの開閉扉が開錠されたとき点灯する表示器と、宅配ボックスの開閉扉が開錠されたとき点灯する表示器とを有する表示部と、
を備えたことを特徴とする物品収受装置。
【請求項２】
前記表示部は、更に、郵便受けと宅配ボックスの開閉扉が開放されたままになっているときに点灯する表示器を有することを特徴とする請求項１に記載の物品収受装置。
【請求項３】
前記表示部が物品収受ユニットに設けられることを特徴とする請求項１又は２に記載の物品収受装置。
【請求項４】
前記物品収受ユニットが複数並置されることを特徴とする請求項３に記載の物品収受装置。
【請求項５】
宅配物及び郵便受けの収受に用いられる物品収受装置であって、
電気錠で施錠可能な開閉扉を備えた宅配物を収納するための宅配ボックスと、電気錠で施錠可能な開閉扉を備えた郵便物を収納するための郵便受けとからなる物品収受ユニットと、
第１の鍵センサーと第２の鍵センサーを設けたセンサー部と、
宅配ボックスに宅配物が収納されていることを検知する荷物センサーと、
第１の鍵センサーの検知結果に基づいて宅配ボックスの開閉扉の開錠を行い、第２の鍵センサーの検知結果に基づいて郵便受けの開閉扉の開錠を行う制御部と、を有し、
前記制御部は、第２の鍵センサーの検知結果に基づいて郵便受けの開錠を行うとき、該郵便受けの居住者宛てに宅配物が配達され、宅配ボックスの荷物センサーが該宅配物の収納を検知している場合には、該検知を報知することを特徴とする物品収受装置。
【請求項６】
前記検知の報知は、前記居住者宛てに配達された宅配物を収納している宅配ボックスの開閉扉を開錠させることにより行われることを特徴とする請求項５に記載の物品収受装置。
【請求項７】
前記宅配ボックスの開閉扉の開錠が表示されることを特徴とする請求項５又は６に記載の物品収受装置。
【請求項８】
前記第１の鍵センサーはタッチパネル式のセンサーであり、前記報知は第１の鍵センサーの表示を変えることにより行われることを特徴とする請求項５に記載の物品収受装置。
【発明の詳細な説明】
【技術分野】
【０００１】
本発明は、宅配物および郵便物の収受に用いられる物品収受装置に関するものである。
【背景技術】
【０００２】
マンションなどの集合住宅などには、宅配物集合保管装置、いわゆる宅配ボックスが設置されることがある。宅配ボックスは、特定の居住者宛ての宅配物を受け取る、あるいは特定の居住者が発送する宅配物を集荷するための施錠可能、かつ物理的な鍵やＩＣカードを用いた鍵により開錠可能な物品収納ボックスを複数有するロッカーに類似した物品収納装置である。
【０００３】
多くの場合、このような宅配ボックスの物品収納ボックスの受容口の扉はオートロックなどにより画成されたマンションの居住者空間の外側に開口し、取出口ないし受取口の扉は居住者空間の内側に配置される。
【０００４】
また、集合住宅などには、宅配ボックスが設置されていなくても、郵便受けは必ず配置される。オートロック化されたマンションなどでは、各居室ごとの郵便受けを多数配列した集合型の郵便受けが用いられており、その受容口は、通常、オートロックにより画成されたマンションの居住者空間の外側に開口し、取出口ないし受取口は居住者空間の内側に配置される。
【０００５】
さらに、物品収受、という共通性から、上記の宅配ボックスを、郵便受けとともに配置する場合の構成として下記特許文献１に示されるような構成が既に知られている。
【特許文献１】特開２００４−２４８７４２号公報
【発明の開示】
【発明が解決しようとする課題】
【０００６】
大規模住宅では、宅配ボックス並びに郵便受けは、居住者の数に応じて多数設けられるので、宅配ボックスや郵便受けの開閉扉の開閉を制御したり、その開閉を表示できるようにすると、その分表示ランプを必要とするので、表示ランプの数が多くなる。
【０００７】
また、郵便受けは居住者分も設けられ、居住者は郵便のあるなしにかかわらず、郵便受けを開放して郵便受けの中身をチェックする。しかし、宅配ボックスは、必ずしも居住者分設けられていないので、居住者は宅配物が自分宛に配達されているかを郵便物ほど頻繁にチェックするわけでない。従って、何らかの形でそれを居住者に報知できれば、便利であるが、そのために、表示ランプなどを設けると、同様に表示ランプの数が多くなる。
【０００８】
本発明は、このような点を鑑みてなされたもので、宅配ボックス並びに郵便受けを多数配列したとき、表示ランプなどの数を減少させ、かつ宅配ボックス並びに郵便受けの機能を向上させることが可能な物品収受装置を提供することを課題とする。
【課題を解決するための手段】
【０００９】
上記課題を解決するための本発明は、
宅配物及び郵便受けの収受に用いられる物品収受装置であって、
電気錠で施錠可能な開閉扉を備えた宅配物を収納するための一つあるいは複数の宅配ボックスと、電気錠で施錠可能な開閉扉を備えた郵便物を収納するための複数の郵便受けとからなる物品収受ユニットと、
第１の鍵センサーと第２の鍵センサーを設けたセンサー部と、
第１の鍵センサーの検知結果に基づいて宅配ボックスの開閉扉の開錠を行い、第２の鍵センサーの検知結果に基づいて郵便受けの開閉扉の開錠を行う制御部と、
いずれか一つの郵便受けの開閉扉が開錠されたとき点灯する表示器と、宅配ボックスの開閉扉が開錠されたとき点灯する表示器とを有する表示部と、
を備えたことを特徴とする。
【００１０】
また、本発明は、
宅配物及び郵便受けの収受に用いられる物品収受装置であって、
電気錠で施錠可能な開閉扉を備えた宅配物を収納するための宅配ボックスと、電気錠で施錠可能な開閉扉を備えた郵便物を収納するための郵便受けとからなる物品収受ユニットと、
第１の鍵センサーと第２の鍵センサーを設けたセンサー部と、
宅配ボックスに宅配物が収納されていることを検知する荷物センサーと、
第１の鍵センサーの検知結果に基づいて宅配ボックスの開閉扉の開錠を行い、第２の鍵センサーの検知結果に基づいて郵便受けの開閉扉の開錠を行う制御部と、を有し、
前記制御部は、第２の鍵センサーの検知結果に基づいて郵便受けの開錠を行うとき、該郵便受けの居住者宛てに宅配物が配達され、宅配ボックスの荷物センサーが該宅配物の収納を検知している場合には、該検知を報知することを特徴とする。
【発明の効果】
【００１１】
本発明（請求項１）の物品収受装置では、多数の郵便受けを備えても、いずれか一つの郵便受けの開閉扉が開錠されたとき表示器が点灯するので、各郵便受けごとに表示ランプを設ける必要がなく、物品収受装置の美観と機能を向上させることができる。
【００１２】
また、本発明（請求項５）では、郵便受けを開錠するとき、その郵便受けの居住者宛てに宅配物が配達され、宅配ボックスの荷物センサーがその宅配物の収納を検知している場合には、それが報知されるので、居住者は、自分宛の宅配物が配達されていることを即座に知ることが可能となる。
【発明を実施するための最良の形態】
【００１３】
以下、本発明を実施するための最良の形態の一例として、宅配ボックスと郵便受けを併設して成る物品収受装置に関する実施例を示す。
【実施例】
【００１４】
図１（ａ）、（ｂ）は、宅配ボックス１０と、郵便受け２０を組み合わせて成る物品収受ユニット１の外観を業者側（配達側）並びに居住者側（受取側）から見た図である。宅配ボックス１０は、電気錠により施錠可能で、また認証された業者により開錠可能な平坦な開閉扉１０ｂを有する。業者は認証を行った後、開閉扉１０ｂを開いて、所定の居住者宛て宅配物を収納する。宅配ボックス１０は、図１に示したものは、１個しか設けられていないが、複数個設けることもできる。
【００１５】
宅配ボックス１０の受取側は、図１（ｃ）に示したように、電気錠により施錠可能で、また認証された居住者により開錠可能な平坦な開閉扉１０ａを有する。居住者は、認証を行った後、開閉扉１０ａを開放して、業者により配達され収納されている自分宛の宅配物を受け取る。あるいは居住者は開閉扉１０ａを開放して業者に委託して発送しようとする宅配物を収納する。
【００１６】
郵便受け２０は、定型郵便物を投函する受容口２０ｃと、大判の郵便物や新聞を投函できる受容口２０ｄを有し、業者（郵便配達人あるいは新聞配達人）はこれらの受容口を介して居住者宛ての郵便物あるいは新聞を配達する。郵便受け２０の受取側は、図１（ｃ）に示したように、電気錠により施錠可能で、また認証された居住者により開錠可能な平坦な開閉扉２０ａを有する。居住者は、認証を行った後、開閉扉２０ａを開放して、自分宛の郵便物や新聞などを受け取る。郵便受け２０は複数個設けられ、図１に示した物品収受ユニット１では、左右にそれぞれ５個、合計１０個の郵便受け２０が設けられる。もちろん、物品収受ユニット１の高さを高くして、さらに多くの郵便受けを設けることも可能である。
【００１７】
図１（ｃ）に示すように、宅配ボックス１０の下部には、宅配物が宅配ボックス内にあることを検知するフォトインタラプタなどからなる光学式の荷物センサー１０ｃが配置される。
【００１８】
物品収受ユニット１の上部には、宅配ボックスや郵便受けの制御を司る制御回路などを収納する制御ボックス３０が設けられ、物品収受ユニットを設置あるいは保守する作業員は、配達側の平坦な開閉扉３０ｂあるいは受取側の平坦な開閉扉３０ａを開放して制御回路などを設置したり、あるいはそれを保守することができる。
【００１９】
通常、物品収受装置は、図１に示した物品収受ユニット１を、マンションに居住者に合わせて複数ユニット併設して構成される。この状態が図２に図示されている。
【００２０】
図２では、図１に示した物品収受ユニット１が４ユニット併設され、更に、物品収受ユニット１と縦、横及び奥行きサイズがそれぞれ同じの物品収受ユニット２が物品収受ユニット１に隣接して配置される。物品収受ユニット２は、宅配ボックス１０と同様な容積の宅配ボックス４０、コンソール４１、宅配ボックス４０より約２倍の容積をもつ宅配ボックス４２を上下に重ねた構造になっている。なお、隣接する物品収受ユニットはそれぞれボルトナット式の固定手段（不図示）で互いに固定して配置される。
【００２１】
宅配ボックス４０、４２は、それぞれ電気錠により施錠可能で、また認証された業者により開錠可能な平坦な開閉扉４０ｂ、４２ｂを配達側に有し、業者は認証を行った後、開閉扉４０ｂ、４２ｂを開いて、所定居住者宛ての宅配物を収納する。宅配ボックス４０、４２の受取側は、図２（ｃ）に示したように、電気錠により施錠可能で、また認証された居住者により開錠可能な平坦な開閉扉４０ａ、４２ａを有し、居住者は、認証を行った後、開閉扉４０ａ、４２ａを開放して、業者により配達され収納されている自分宛の宅配物を受け取ったり、あるいは開閉扉４０ａ、４２ａを開放して業者に委託して発送しようとする宅配物を収納する。
【００２２】
コンソール４１は操作表示部４１ｂ、プリンター４１ｃなどを有し、内部に配置されたＣＰＵなどからなる制御部は、制御ボックス３０内の制御回路を介して宅配ボックスや郵便受けの開閉扉の開錠を制御したり、その他種々の制御を行う。コンソール４１の受取側の平坦な開閉扉４１ａは、内部に配置された制御部あるいはその他の回路を設置あるいは保守するために開放可能となっている。
【００２３】
郵便受け２０は、マンションの各居住者個々に割り当てられるので、図２に示した例では、４０個の郵便受けが設けられており、４０世帯用の集合住宅に対する物品収受装置となっている。一方、宅配ボックスは、居住者全部には割り与えられず、図２に示した例では、６個しか設けられていない。
【００２４】
図２（ａ）に示したように、物品収受装置には、左右にＩＣカードの内容を読み取ることが可能なタッチパネル式の鍵センサー４を設けたセンサーボックス（センサー部）３が配置される。センサーボックス３は、縦と奥行きサイズは物品収受ユニット１、２とほぼ同じであるが、横幅は鍵センサー４を配置できる程度の狭い幅になっている。
【００２５】
鍵センサー４は、そこに接触あるいは近接されたＩＣカードを読み取って、ＩＣカードに記録された情報に従い、ＩＣカードの保持者が認証された業者であるかどうかを検知する。認証された業者である場合には、空いている宅配ボックスのいずれかの電気錠を開錠し、その開閉扉を開放させることができる。
【００２６】
図２（ｃ）に示したように、センサーボックス３の受取側には、ＩＣカードの内容を読み取ることが可能なタッチパネル式の鍵センサー（第１の鍵センサー）５と鍵センサー（第２の鍵センサー）６が配置される。鍵センサー５は、宅配ボックスの開錠を行うためのもので、そこに接触あるいは近接されたＩＣカードを読み取って、ＩＣカードに記録された情報に従い、ＩＣカードの保持者が認証された居住者であるかどうかを検知する。認証された居住者であって、該居住者宛の宅配物がいずれかの宅配ボックスに配達されている場合には、その宅配ボックスの電気錠を開錠し、その開閉扉を開放させることができる。
【００２７】
鍵センサー６は、郵便受けの開錠を行うためのもので、そこに接触あるいは近接されたＩＣカードを読み取って、ＩＣカードに記録された情報に従い、ＩＣカードの保持者が認証された居住者であるかどうかを検知する。認証された居住者である場合には、該居住者に割り当てられている郵便受けの電気錠を開錠し、その開閉扉を開放させることができる。
【００２８】
各物品収受ユニット１、２の受取側の下方部には、各ユニットごとに表示部７が設けられる。表示部７は、ＬＥＤなどから構成された表示器７ａ、７ｂ、７ｃからなり、表示器７ａは、そのユニット内にあるいずれかの郵便受けの開閉扉が開錠された場合に点灯し、表示器７ｂは、そのユニット内にあるいずれかの宅配ボックスの開閉扉が開錠された場合に点灯し、表示器７ｃは、そのユニット内にある宅配ボックス並びに郵便受けのすべての開閉扉が施錠されていない場合、つまりいずれかの開閉扉が開放されたままになっている場合に点灯される。
【００２９】
なお、図１、図２に示した物品収受装置の宅配ボックスと郵便受けの組み合わせは、一例に過ぎず、世帯数に合わせて、あるいは居住者の年齢や職業に合わせて宅配ボックス、郵便受けあるいは物品収受ユニットを増減させることができる。たとえば、図２の例において、一番左にある物品収受ユニット１の宅配ボックスを、郵便受けに置換したり、あるいはその逆に郵便受けを宅配ボックスに置き換えることができる。あるいは、一番右にある物品収受ユニット２の宅配ボックスを、郵便受けに置き換えることができる。図１、図２では、宅配ボックスは、郵便受けの４倍あるいはそれ以上の容積があるので、宅配ボックスを郵便受けに置き換えると、その分だけ郵便受けを増設することができる。
【００３０】
また、大規模集合住宅の場合には、物品収受ユニット１、２が多数配置される。このような場合、センサーボックスの数が少ないと、居住者の認証を行った場所と、実際に開錠した郵便受けあるいは宅配ボックスまでの距離が長くなり、受取りが不便になるので、所定ユニットごと、たとえば４〜５ユニットごとにセンサーボックスを配置するようにする。
【００３１】
図３は、上記のように構成された物品収受装置がマンションなどの集合住宅に設置された状態を示す。物品収受ユニット１、２、センサーボックス３からなる物品収受装置は、マンションの壁部５０に埋設される。業者はマンションの外側に向かう領域Ａを介して郵便物８あるいは宅配物９を配達し、居住者はマンション内部に向かう領域Ｂを介して配達された郵便物８あるいは宅配物９を受け取る。後述するように、物品収受ユニット１、２の受取側の開閉扉の面は、それが設置される壁部５０の受取側の壁面５０ａとほぼ同一垂直面内に位置するように設置されるので、その配達側の開閉扉の面は、壁部５０の配達側の壁面５０ｂより突出するようになる。
【００３２】
図４（ａ）、（ｂ）は、壁部５０に組み込まれた物品収受装置を受取側から見た状態を示している。
【００３３】
物品収受装置をマンションの壁部に組み込むとき、図４（ａ）に示したように、壁部の受取側壁面５０ａを、郵便受けの開閉扉２０ａが織り成す模様と同じ模様が発生するように、郵便受けの開閉扉の形状に対応する建材、たとえばタイル６０で被覆するようにする。図２の例では、４０個の郵便受けの開閉扉２０ａがそれぞれ碁番の目状に配列されているので、一つの郵便受けの開閉扉２０ａの縦横寸法に対応するサイズのタイル６０を、各目地がそれぞれ郵便受け２０の縦横の境界線と一致するように、宅配ボックスと郵便受け以外の壁面５０ａに張るようにする。これにより、壁面と一体となったような物品収受装置を壁部に設置することができる。
【００３４】
図４（ａ）に示した例では、制御ボックス３０、宅配ボックス１０、４０、４２あるいはコンソール４１の容積は、郵便受け２０の容積より大きいので、受取側から見た制御ボックス、宅配ボックス、あるいはコンソールの各開閉扉１０ａ、３０ａ、４０ａ、４１ａ、４２ａは、郵便受けの開閉扉２０ａよりサイズが大きくなっている。従って、郵便受けの数が少なくなるほど、壁面との一体性がなくなる。
【００３５】
そこで、図５（ｂ）に示したように、宅配ボックス１０の開閉扉１０ａの受取側に向かう面を、郵便受け２０の開閉扉２０ａの形状（図５（ａ））に合わせて分割する。物品収受ユニット１の例では、宅配ボックス１０の開閉扉１０ａは、郵便受け２０の開閉扉２０ａより約４倍の大きさであるので、宅配ボックス１０の開閉扉１０ａを４等分し、４等分された開閉扉の各面１１に、郵便受け２０の開閉扉２０ａの形状に対応した形状部分を形成する。つまり、郵便受け２０の開閉扉２０ａと同じ形状を４個形成する。
【００３６】
本実施例では、宅配ボックスの開閉扉の面積は、ほぼ郵便受けの開閉扉の偶数倍となっているので、宅配ボックスの開閉扉の受取側に向かう面は、偶数分の１の区画に分割される。図２に示した宅配ボックス４２の場合には、その開閉扉４２ａの面積は、ほぼ郵便受けの開閉扉の８倍となっているので、宅配ボックスの開閉扉の受取側に向かう面は、８分の１の区画に分割され、そこに郵便受け２０の開閉扉２０ａと同じ形状部分が８個形成される。また、コンソール４１は、その開閉扉４１ａの面積は、ほぼ郵便受けの開閉扉の４倍となっているので、宅配ボックス１０と同様に、郵便受け２０の開閉扉２０ａと同じ形状部分が４個形成される。
【００３７】
また、制御ボックス３０の開閉扉３０ａは、同様な規則で縦方向に２等分し、その区画に郵便受け２０の開閉扉２０ａと同じ形状部分を形成する。
【００３８】
このように、制御ボックス、宅配ボックス、あるいはコンソールの開閉扉の受取側に向かう面を、郵便受けの開閉扉の形状に合わせて分割し、分割された開閉扉の面に、郵便受けの開閉扉の形状に対応した形状部分を形成すると、図４（ｂ）に示したように、壁面５０ａには、タイル６０と同じ形状の開閉扉がタイル６０とともに規則正しく碁盤の目状に配列されたパターンが形成され、壁部の壁面と一体となったような物品収受装置を集合住宅の壁部に設置することができる。
【００３９】
図６は、このように構成された物品収受装置の制御システムの構成を示している。図６においては、以上で説明した各構成部材については同一の参照符号を用いており、各部材の機能についてはその説明を省略する。
【００４０】
制御部７０は、コンソール４１のボックス内に配置され、ＣＰＵ７０ａ、ＲＯＭ７０ｂ、ＲＡＭ７０ｃと各部との入出力を行うための入出力回路７０ｄ、７０ｅ、７０ｆ、７０ｇから構成される。
【００４１】
物品収受装置全体の制御は、ＣＰＵ７０ａにより行なわれる。ＣＰＵ７０ａが実行する制御手順は、プログラムなどとしてＲＯＭ７０ｂに格納され、ＣＰＵ７０ａはＲＡＭ７０ｃをワークエリアとしてＲＯＭ７０ｂに格納された制御プログラムを実行することにより物品収受装置全体の制御を行う。
【００４２】
ＲＯＭ７０ｂあるいはＲＡＭ７０ｃには、郵便受け２０と、その郵便受けを使用する居住者の対応関係を示す情報がデータテーブルとして格納されている。
【００４３】
物品収受ユニット１の郵便受け２０の電気錠２００は、それぞれ入出力回路７１、７０ｅを介してＣＰＵ７０ａに接続され、ＣＰＵ７０ａは、認証が済んだ郵便受けの電気錠を開錠する。宅配ボックス１０の電気錠１００は、それぞれ入出力回路７１、７０ｆを介してＣＰＵ７０ａに接続され、ＣＰＵ７０ａは、認証が済んだ宅配ボックスの電気錠を開錠する。
【００４４】
宅配ボックス内に宅配物が収納されると、荷物センサー１０ｃがその宅配物を検知し、その検知信号がＣＰＵ７０ａに伝達される。また、表示部７は、その各表示器の点灯がＣＰＵ７０ａにより制御される。
【００４５】
センサーボックス３に設けられた鍵センサー５、６により読み取られた情報は、入出力回路７２、７０ｇを介してＣＰＵ７０ａに入力される。
【００４６】
入出力回路７０ｄには、コンソール４１の操作表示部４１ｂ、プリンター４１ｃが接続され、また、制御部７０は、外部通信インターフェース７３を介して外部の制御装置７４と接続される。
【００４７】
このような構成において、宅配業者は、操作表示部４１ｂを操作して、空いている宅配ボックスを探し、その宅配ボックスを開錠して居住者宛ての宅配物を収納する。このとき、宅配ボックスの荷物センサー１０ｃがその宅配物の収納を検知し、その信号がＣＰＵ７０ａに伝達される。ＣＰＵ７０ａは、ＲＯＭあるいはＲＡＭに格納されている上述した郵便受けと居住者の対応関係を示す情報テーブルの居住者の欄に、宅配物が配達されたことを示すフラグと該宅配物を収納している宅配ボックスを特定するデータを格納する。
【００４８】
郵便配達人は、郵便物を個々の居住者に割り当てられている郵便受けに投函する。
【００４９】
居住者は、日常の業務として、鍵センサー６にＩＣカードを接触させて自分に割り当てられている郵便受けの中身をチェックする。ＣＰＵ７０ａは、鍵センサー６により読み取られたＩＣカードに記録されている情報に基づいて、居住者が上記情報テーブルに記録されている居住者の場合には、その居住者に割り当てられている郵便受けの電気錠を開錠する。このとき、表示部７の表示器７ａが点灯するので、居住者は表示器７ａが点灯している物品収受ユニットのところに行き、開錠された開閉扉を開放して、郵便受けの中身をチェックする。郵便物があれば、それを取り出した後開閉扉を閉じ、郵便物がなければ開閉扉を閉じる。もし、その開閉扉が開放されたままになっていると、表示器７ｃが点灯するので、セキュリティが向上する。
【００５０】
居住者がこのようにＩＣカードを鍵センサー６に接触させて郵便受けの開錠を行うとき、その居住者宛に宅配物が配達されている場合は、ＣＰＵ７０ａは、上記情報テーブルにそのことを示すフラグと該宅配物を収納している宅配ボックスを特定するデータが格納されているので、ＣＰＵ７０ａは、その居住者宛に宅配物が配達されていることを報知する。
【００５１】
この報知は、情報テーブルで特定される宅配ボックスの開閉扉を開錠させることにより行われる。宅配ボックスの開閉扉が開錠されると、表示部７の表示器７ｂが点灯するので、居住者は、表示器７ｂが点灯している物品収受ユニットのところに行き、開錠された開閉扉を開放して、宅配ボックス内の自分宛の宅配物を取り出し、その後開閉扉を閉じる。このとき、開閉扉が開放されたままになっていると、表示器７ｃが点灯するので、セキュリティが向上する。
【００５２】
鍵センサー５は、タッチパネル式のセンサーとして構成されているので、鍵センサー５の照明強度あるいは照明色を変えることにより、居住者宛に宅配物が配達されていることを報知するようにすることもできる。
【００５３】
居住者は、上記報知に基づいてあるいは何らかの情報により自分宛に宅配物が配達されていることを知ったときは、鍵センサー５にＩＣカードを接触させる。ＣＰＵ７０ａは、鍵センサー５により読み取られたＩＣカードに記録されている情報に基づいて、該居住者に宅配物が届いていることを検出した場合には、該宅配物が収納されている宅配ボックスを特定して、その宅配ボックスの電気錠を開錠する。このとき、表示部７の表示器７ｂが点灯するので、居住者は表示器７ｂが点灯している物品収受ユニットのところに行き、開錠された開閉扉を開放して、宅配ボックス内の自分宛の宅配物を取り出し、その後開閉扉を閉じる。このとき、開閉扉が開放されたままになっていると、表示器７ｃが点灯するので、セキュリティが向上する。
【００５４】
このように、複数の郵便受けに対して表示部７が設けられているので、数少ない表示により、数多くの機能を実現することができる。
【図面の簡単な説明】
【００５５】
【図１】（ａ）は宅配ボックスおよび郵便受けを併設して成る物品収受ユニットを配達側から見たときの外観を示す斜視図、（ｂ）は受取側から見たときの外観を示す斜視図、（ｃ）は宅配ボックスおよび郵便受けの受取側の開閉扉を開放したときの斜視図である。
【図２】（ａ）、（ｂ）、（ｃ）は、それぞれ物品収受ユニットを複数併設して得られる物品収受装置の正面図、上面図、背面図である。
【図３】物品収受装置を集合住宅の壁部に埋設して設置したときの配置を示す配置図である。
【図４】（ａ）、（ｂ）は物品収受装置を受取側から見たときの背面図である。
【図５】（ａ）は郵便受けの開閉扉を示す斜視図、（ｂ）は宅配ボックスの開閉扉を４分割したときの斜視図である。
【図６】物品収受装置を制御するシステムを説明するブロック図である。
【符号の説明】
【００５６】
１、２  物品収受ユニット
３  センサーボックス
４、５、６  鍵センサー
１０、４０、４２  宅配ボックス
２０  郵便受け
３０  制御ボックス
４１  コンソール
５０  壁部
６０  タイル
７０  制御部
【図１】
2010115266.tif 000003
【図２】
2010115266.tif 000004
【図３】
2010115266.tif 000005
【図４】
2010115266.tif 000006
【図５】
2010115266.tif 000007
【図６】
2010115266.tif 000008